(57)【要約】【課題】グリーンベルトを備えた道路の消雪道路化を容易に実現する。【解決手段】コンクリートで形成される棒状ブロック本体１内に、二本の給水管２ａ，２ｂを長手方向に貫通内設し、それぞれ長手方向左右異なる方向に散水する散水ノズル３ａ，３ｂを組み込んだ消雪ブロックを、前記ブロック隣接ブロックの給水管が連通するように連結接続して道路中央分離帯等のグリーンベルトＢの境界の縁石として使用すると共に、連通したブロック内の二系統の各給水管路を、切替弁Ｃを介して別置給水施設Ｄと連結して消雪道路を構築する。【選択図】　　図４
2004011092.tif 000002
【特許請求の範囲】
【請求項１】
コンクリートで形成される棒状ブロック本体内に、二本の給水管を長手方向に貫通内設すると共に、各給水管両端部に管連結部を設け、各給水管に適宜間隔で散水ノズル体を連結すると共に、一方の給水管に連絡した散水ノズル体の放水方向と、他方の散水ノズル体の散水方向をブロック体の長手方向の左右に異なるよう組み込んでなることを特徴とする消雪ブロック。
【請求項２】
給水管を長手方向左右平行に内設し、一方の給水管に連結した散水ノズル体の放水部を、ブロック側面に配置し、他方の給水管に連結した散水ノズル体の放水部を、ブロック上面に配置してなる請求項１記載の消雪ブロック。
【請求項３】
ブロック上面の長手方向の左右の一方のブロック上面を他方より低く形成し、当該低い上面に散水ノズル体の放水部を設けた請求項２記載の消雪ブロック。
【請求項４】
請求項２又は３記載の消雪ブロックを、隣接ブロックの給水管が連通するように連結接続して道路中央分離帯又はグリーンベルトを備えた歩道境界の縁石として使用すると共に、特に散水ノズル体の放水部を設けた側面を車道側に配し、連通したブロック内の二系統の各給水管路を、切替弁を介して別置給水施設と連結してなることを特徴とする消雪道路。
【発明の詳細な説明】
【０００１】
【産業上の利用分野】
本発明は路面の雪を散水によって融かすために道路の歩道と車道との境界や、中央分離帯に設置する縁石用の消雪ブロックに関するものである。
【０００２】
【従来の技術及び発明が解決しようとする課題】
路面の雪を散水で融かす消雪道路は、一般に道路中央に溝を穿設し、溝底に給水管（消雪パイプ）を配置すると共に、給水管と連結した散水ノズルを適当間隔毎に配置し、而る後散水ノズルの散水口（上面部分）が路面に露出するように溝内にコンクリートを打設していたものである。しかし、前記の工事は道路の交通事情を悪化させるので、工事期間を短縮するため、溝に埋設する給水管となる通水管及び散水ノズルをコンクリート等で一体化した消雪ブロックを予め用意しておき、道路に堀穿した溝内に前記ブロックを埋設し、ブロック間を連結して消雪道路を形成することが知られている（実公昭５５−１３４５９号、特開昭６０−２５８３１号、特開平２−２６１８号）。
【０００３】
また前記の従来の消雪ブロックを使用した消雪道路は、消雪ブロックを車道の中央部分に埋設しているものである。このため設置工事や補修工事に際して道路の通行が不便であったり、車両走行の真っただ中で作業を行うため、車両事故が発生し易い環境下での作業となる。このため消雪ブロックを車道に設置せずに歩道縁石箇所に配置すること並びにブロック側面放水構造とした消雪ブロックを本件出願人が先に提案した（登録実用新案３００２２４６号）。
【０００４】
ところで、道路中央分離帯や、車道と歩道との境界等にグリーンベルトが設けられている。これらのグリーンベルトには植裁がなされており、当然灌漑用の施設が設けられている。即ち消雪道路であり且つグリーンベルトを備えた道路では、消雪配管と灌漑用水配管が必要となり、これを別々に工事して設置することになる。
【０００５】
そこで本発明は、消雪用水と灌漑用水の配管工事を同時に行うことができる消雪ブロック及び消雪道路を提案したものである。
【０００６】
【課題を解決する手段】
本発明に係る消雪ブロックは、コンクリートで形成される棒状ブロック本体内に、二本の給水管を長手方向に貫通内設すると共に、各給水管両端部に管連結部を設け、各給水管に適宜間隔で散水ノズル体を連結すると共に、一方の給水管に連絡した散水ノズル体の放水方向と、他方の散水ノズル体の散水方向をブロック体の長手方向の左右に異なるよう組み込んでなることを特徴とするものである。
【０００７】
従って前記消雪ブロックを連結して、中央分離帯や歩道境界の縁石ブロックとして採用すると、ブロック内に二系統の給水経路が形成されると共に、ブロック長手方向左右にそれぞれ散水する散水ノズル体を設けているので、車道側散水の給水配管路と植裁用給水配管路が同時に形成され、必要に応じて所定の管路系に給水を行うことで、消雪又は灌漑を実現できる。
【０００８】
また本発明の消雪ブロックは、更に給水管を長手方向左右平行に内設し、一方の給水管に連結した散水ノズル体の放水部を、ブロック側面に配置し、他方の給水管に連結した散水ノズル体の放水部を、ブロック上面に配置してなることを特徴とするものであり、また本発明に係る消雪道路は、前記消雪ブロックを隣接ブロックの給水管が連通するように連結接続して、道路中央分離帯又はグリーンベルトを備えた歩道境界の縁石として使用すると共に、特に散水ノズル体の放水部を設けた側面を車道側に配し、連通したブロック内の二系統の各給水管路を、切替弁を介して別置給水施設と連結してなることを特徴とするものである。
【０００９】
従ってブロック側面の散水ノズルからの散水は、消雪用として効率的に使用され、上面に設けた散水ノズル体からの散水は、高い位置から灌漑用として効率的に植裁植物に散布できる。
【００１０】
【実施の形態】
次に本発明の実施形態について説明する。実施形態に示した消雪ブロックＡの本体１は、歩道縁石や中央分離帯の縁石となる適宜長さ（通常多用されている道路中央に設置する消雪ブロックに比較して短い構成となっている）のコンクリート体で形成されている。また必要に応じて鉄筋を組み込んでなる。
【００１１】
このブロック本体１内に、給水管２及び散水ノズル３で構成される消雪用管路と灌漑用管路の二系統の散水管路が設けられているもので、二本の給水管２ａ，２ｂは、ブロック本体１の長手方向に貫通内設し、一方の端部を突出させて連結突出部２１ａ，２１ｂとし、他方端部には、前記連結突出部２１ａ，２１ｂが挿入連結できる公知のソケット連結部２２ａ，２２ｂを設けてなる。
【００１２】
消雪用管路の散水ノズル３ａは、ブロック本体１の一方の側面に放水部を設けたもので、ブロック１の側面に形成した凹部１１内に非突出状態で、給水管２ａと連結して設けたもので、所定の散水機能を具備させたものである。
【００１３】
即ち霧状散水ではなく、噴射状放水とするノズルで、路面状況に対応して放水距離を定めたり、放水方向を定めるもので、複数の放水口を備えたり、放水方向を調整できる器具など、必要に応じて所望の機能を備えた市販器具を採用する。
【００１４】
また灌漑用管路の散水ノズル３ｂは、ブロック本体１における散水ノズル３ａの装備側と反対側の上面１２に設けたものであるが、当該上面１２は、段差を設けた他方上面１３より低く形成し、散水ノズル３ｂの頂部が、他方上面１３より大きく突出しないようにする。
【００１５】
また散水ノズル３ｂは、所謂灌漑用ノズルで、灌漑を必要とする範囲に適切に散水されるように、霧状散水を所定角度で所定方向に散水するノズルを採用してなる。例えば図３に例示したとおり、散水範囲や散水高さを決定する頂部散水制御部品３１を備えたノズル３ｂを採用すると、同一ブッロクを使用しても、当該の頂部散水制御部品３１の取り替えで、灌漑状態を種々選択できることになる。
【００１６】
而して前記の消雪ブロックは、消雪道路としようとする車道と歩道の境界や中央部分離帯のグリーンベルトＢを囲むように、且つ車道側に消雪用の散水ノズル３を備えた側面を向けて、隣接ブロックの給水管２ａ，２ｂを連結接続して設置するものである。更にこれらの給水管２ａ，２ｂの管末には、各管路への給水切り替えを行う切替弁Ｃを介して給水施設Ｄと連結する。
【００１７】
給水施設Ｄは、消雪用水として地下水を組み上げるようにしても良いし、その他融雪可能な用水の供給を可能とした施設であり、また河川水の組み上げなどの灌漑用水供給をも可能とした施設である。
【００１８】
従って冬季の降雪期においては、消雪用管路に給水を行い、ブロック本体１の側面の散水ノズル３ａから融雪水を散水して路面消雪を実施し、それ以外の時期には、灌漑管路に灌漑用水を供給して、グリーンベルトＢ内の植裁の灌漑を行う。
【００１９】
なお本発明は、前記実施形態に限定されるものではなく、二系統の管路及び散水ノズルを備えたブロック体で、管路の材質や散水ノズルの具体的構造は、必要とされる機能を備えているものでれば任意の構造のものが採用されるものであり、ブロック端の給水管連結部の具体的構造も任意に定められる。また切替弁湯給水設備も適宜定められるものである。
【００２０】
【発明の効果】
以上のように本発明は、コンクリートで形成される棒状ブロック本体内に、二本の給水管を長手方向に貫通内設し、それぞれ長手方向左右異なる方向に散水する散水ノズルを組み込んだ消雪ブロックであり、また前記ブロックと隣接ブロックの給水管が連通するように連結接続して道路中央分離帯等のグリーンベルト境界の縁石として使用すると共に、連通したブロック内の二系統の各給水管路を、切替弁を介して別置給水施設と連結してなる消雪道路で、消雪機能と灌漑機能を備える２系統管路を、簡単に構築することができたものである。
【図面の簡単な説明】
【図１】本発明ブロックの実形態の断面図。
【図２】同一部省略した平面図。
【図３】同灌漑用散水ノズルの拡大説明図。
【図４】本発明の消雪道路の実施形態の説明図。
【符号の説明】
１　　　　　　　　ブロック本体
１１　　　　　　　凹部
１２、１３　　　　上面
２ａ，２ｂ　　　　給水管
２１ａ，２１ｂ　　連結突出部
２２ａ，２２ｂ　　ソケット連結部
３ａ，３ｂ　　　　散水ノズル
３１　　　　　　　頂部散水制御部品
Ａ　　　　　　　　消雪ブロック
Ｂ　　　　　　　　グリーンベルト
Ｃ　　　　　　　　切替弁
Ｄ　　　　　　　　給水施設
【図１】
2004011092.tif 000003
【図２】
2004011092.tif 000004
【図３】
2004011092.tif 000005
【図４】
2004011092.tif 000006